(57)【要約】【課題】  有機ＥＬ素子として機能すべき領域に形成された正孔注入／輸送層の電気抵抗のみを小さくする。【解決手段】  正孔注入／輸送層５１は、ＰＥＤＯＴ及びＰＳＳの混合物からなる塗布材料をスピンコート法を用いて画素領域１１０全体に渡って塗布することによって、陽極３４及びバンク部４７上に渡って連続した塗膜５５として形成された後、陽極３４上に延在された延在部にのみジエチレングリコール等の有機溶剤をインクジェット法を用いて塗布することによって形成されている。【選択図】  図３
2007080917.tif 000002
【特許請求の範囲】
【請求項１】
基板上に形成された複数の陽極と、
前記複数の陽極上を覆うように形成された塗布膜と、
前記塗布膜上に形成された有機ＥＬ層とを有する有機ＥＬ装置であって、
前記塗布膜のうち、前記複数の陽極に平面的に重なる領域の電気抵抗が、前記複数の陽極に平面的に重ならない領域の電気抵抗に比べて相対的に小さいこと
を特徴とする有機ＥＬ装置。
【請求項２】
前記重なる領域は、前記正孔が前記陽極から注入される際のエネルギー障壁が低減された正孔注入層と、前記有機ＥＬ層から移動して来る電子が前記陽極側に移動することを妨げる正孔輸送層とを備えたこと
を特徴とする請求項１に記載の有機ＥＬ装置。
【請求項３】
前記重なる領域は、選択的に処理されていること
を特徴とする請求項１又は２に記載の有機ＥＬ装置。
【請求項４】
前記重なる領域は、インクジェット法を用いて有機溶剤を前記重なる領域に選択的に塗布することによって形成されていること
を特徴とする請求項１から３の何れか一項に記載の有機ＥＬ装置。
【請求項５】
前記塗布膜は、スピンコート法を用いて前記基板全体に形成されていること
を特徴とする請求項１から４の何れか一項に記載の有機ＥＬ装置。
【請求項６】
基板上に形成された複数の電極と、
前記複数の電極上を覆うように形成された塗布膜と、
前記塗布膜上に形成された有機層とを有する有機装置であって、
前記塗布膜のうち前記複数の電極に平面的に重なる領域の電気抵抗が、前記複数の電極に平面的に重ならない領域の電気抵抗に比べて相対的に小さいこと
を特徴とする有機装置。
【請求項７】
基板上に形成された複数の陽極を形成する工程と、
前記複数の陽極上を覆うように塗布膜を形成する工程と、
前記塗布膜上に有機ＥＬ層を形成する工程とを有する有機ＥＬ装置の製造方法であって、
前記塗布膜のうち前記複数の陽極に平面的に重なる領域の電気抵抗を、前記複数の陽極に平面的に重ならない領域の電気抵抗に比べて相対的に小さくする工程を備えたこと
を特徴とする有機ＥＬ装置の製造方法。
【請求項８】
基板上に複数の電極を形成する工程と、
前記複数の電極上を覆うように塗布膜を形成する工程と、
前記塗布膜上に有機層を形成する工程とを有する有機装置の製造方法であって、
前記塗布膜のうち前記複数の電極に平面的に重なる領域の電気抵抗を、前記複数の電極に平面的に重ならない領域の電気抵抗に比べて相対的に小さくする工程を備えたこと
を特徴とする有機装置の製造方法。
【請求項９】
基板上に形成された陽極と、
前記陽極上を覆うように形成された塗布膜と、
前記塗布膜上に形成された有機ＥＬ層とを有する有機ＥＬ素子であって、
前記塗布膜のうち前記陽極に平面的に重なる領域の電気抵抗が、前記陽極に平面的に重ならない領域の電気抵抗に比べて相対的に小さいこと
を特徴とする有機ＥＬ素子。
【発明の詳細な説明】
【技術分野】
【０００１】
本発明は、例えば有機ＥＬディスプレイ等の表示装置に用いられる有機ＥＬ素子、並びに有機ＥＬ装置及びその製造方法、並びに有機太陽電池等の有機装置及びその製造方法の技術分野に関する。
【背景技術】
【０００２】
この種の有機ＥＬ素子では、通常、正孔注入／輸送層及び電子注入／輸送層等の機能層が、発光層である有機ＥＬ層の両側に形成されている。このような有機ＥＬ層及び機能層は、スピンコート法或いはインクジェット法を用いて形成されることが多い。例えば特許文献１に開示された技術によれば、正孔注入／輸送層は、３，４−ポリエチレンジオキシチオフェン（poly 3,4-ethylene dioxythiophene；以下、ＰＥＤＯＴと称す。）及びポリスチレンスルフォン酸（poly styrene sulfonate；以下、ＰＳＳと称す。）の混合物にアルコール系溶剤を加えてなる塗布材料をインクジェット法を用いて陽極上に塗布することによって形成されている。また、有機ＥＬ素子に限定されず、有機材料を用いて形成される有機太陽電池及び有機薄膜トランジスタ（以下、有機ＴＦＴと称す。）でも、有機ＥＬ素子と同様に、電力を取り出すための電極及び照射された光によって電流を発生する有機層間に、正孔及び電子の再結合を低減するように正孔を電極に伝導させる膜が形成されていることが多い。
【０００３】
【特許文献１】特開２００４―２０４１１４号公報
【発明の開示】
【発明が解決しようとする課題】
【０００４】
しかしながら、特許文献１に開示された技術によれば、基板上に形成された複数の陽極にインクジェット法を用いて正孔注入／輸送層を形成した場合、各陽極上に形成された正孔注入／輸送層の膜厚に起因するバラツキが生じ、有機ＥＬ素子の動作時に消費される消費電力にバラツキが生じる。このような消費電力のバラツキは、各有機ＥＬ素子の発光効率及び輝度のバラツキの原因となり、結果的に有機ＥＬ素子の発光特性の低下を招く。
【０００５】
スピンコート法を用いて塗布材料を塗布することによって正孔注入／輸送層を形成した場合には、本来有機ＥＬ素子として機能すべきでない領域の正孔注入／輸送層にまで電流が流れ、陽極、正孔注入／輸送層及び有機ＥＬ層を備えた有機ＥＬ素子のみを発光させることが困難となる技術的問題点がある。より具体的には、複数の画素が配列されてなる画素領域にアルコール系溶剤を含む塗布材料をスピンコート法を用いて塗布し、更にその上にスピンコート法を用いて有機ＥＬ層を形成した場合、各画素に形成された有機ＥＬ素子以外の部分が発光してしまう場合があり、その動作時に有機ＥＬ素子に印加される電圧を調整することが困難となる。加えて、正孔注入／輸送層の電気抵抗のバラツキに起因する消費電力のバラツキにより、各有機ＥＬ素子の寿命特性にバラツキが生じ、結果的にこのような有機ＥＬ素子を複数備えた有機ＥＬ装置の信頼性を低下させてしまう。また、有機太陽電池及び有機ＴＦＴ等の有機素子でも、有機ＥＬ素子と同様に本来電流が流れるべきない領域に電流が流れてしまい、これら素子間に寿命のバラツキが生じる問題点がある。
【０００６】
よって、本発明は上記問題点等に鑑みてなされたものであり、例えば、動作時に印加される電圧の調整が容易となり、且つ素子の寿命を延ばすことが可能な有機ＥＬ素子、並びに有機ＥＬ装置及びその製造方法、並びに有機装置及びその製造方法を提供することを課題とする。
【課題を解決するための手段】
【０００７】
本発明に係る有機ＥＬ装置は上記課題を解決するために、基板上に形成された複数の陽極と、前記複数の陽極上を覆うように形成された塗布膜と、前記塗布膜上に形成された有機ＥＬ層とを有する有機ＥＬ装置であって、前記塗布膜のうち、前記複数の陽極に平面的に重なる領域の電気抵抗が、前記複数の陽極に平面的に重ならない領域の電気抵抗に比べて相対的に小さい。
【０００８】
本発明に係る有機ＥＬ装置によれば、前記複数の陽極上を覆うように形成された塗布膜は、複数の陽極上で互いに均一な膜厚を有している。ここで、塗布膜は、例えば複数の画素がアレイ上に配列された画素領域のうち実質的に発光部として機能しない領域から発光部として機能する領域まで一枚の膜として形成されている。したがって、画素領域で均一な膜厚を有する塗布膜のうち複数の陽極に平面的に重なる領域の電気抵抗が、複数の陽極に平面的に重ならない領域の電気抵抗に比べて相対的に小さくなっていることにより、膜厚バラツキに起因する電気抵抗のバラツキを低減できる。
【０００９】
塗布膜のうち陽極上に重なる領域の膜厚と、陽極に重ならない領域の膜厚とは互いに均一とされているため、低い電気抵抗で、且つ電気抵抗のバラツキが低減された塗布膜を形成できる。このような塗布膜によれば、有機ＥＬ装置を動作させる際に各発光部に印加される電圧を低減でき、且つ各発光部における電圧のバラツキを低減できる。これにより、有機ＥＬ装置を動作させる際の電圧の制御が容易となり、且つ各有機ＥＬ装置の寿命も延ばすことが可能である。更に、この態様によれば、塗布膜のうち低い電気抵抗を有する領域を介して各陽極上に延在される有機ＥＬ層にのみ電流が供給されるため、塗布膜のうち本来電流を流すべきでない領域に電流が流れることを低減できる。これにより、例えば有機ＥＬ装置全体の消費電力の低減及び画質の向上を図ることが可能である。
【００１０】
以上により、本発明に係る有機ＥＬ装置によれば、有機ＥＬ装置の動作時における電圧の調整が容易となり、且つ有機ＥＬ装置の寿命を延ばすことが可能である。
【００１１】
本発明に係る有機ＥＬ装置の一の態様では、前記重なる領域は、前記正孔が前記陽極から注入される際のエネルギー障壁が低減された正孔注入層と、前記有機ＥＬ層から移動して来る電子が前記陽極側に移動することを妨げる正孔輸送層とを備えていてもよい。
【００１２】
この態様によれば、陽極から供給された正孔を有機ＥＬ層に供給する際の電圧を低減できる。これにより有機ＥＬ装置の動作時に有機ＥＬ層で消費される消費電力を低減でき、有機ＥＬ装置の寿命を延ばすことが可能である。この態様では、正孔伝導層は、正孔注入層及び正孔輸送層が互いに異なる層として積層されていてもよいし、正孔の注入及び輸送の夫々を担う機能を備えた材料を混合した塗布材料を塗布することによってこれら２つの機能を備えた一層として形成されていてもよい。このような正孔の注入及び輸送の夫々を担う機能を備えた材料としては、例えばＰＥＤＯＴ及びＰＳＳが挙げられる。
【００１３】
本発明に係る有機ＥＬ装置の他の態様では、前記重なる領域は、選択的に処理されていてもよい。
【００１４】
この態様によれば、例えば未処理の塗布膜を一枚の均一な膜厚を有する膜として形成した後、膜の一部の電気抵抗を選択的に小さくできる。
【００１５】
本発明に係る有機ＥＬ装置の他の態様では、前記重なる領域は、インクジェット法を用いて有機溶剤を前記重なる領域に選択的に塗布することによって形成されていてもよい。
【００１６】
この態様によれば、複数の陽極上の夫々に正確に有機溶剤を塗布でき、例えば電気抵抗が小さい正孔伝導層を陽極上に形成できる。ここで、有機溶剤としては、例えばアルコール系溶剤を用いることが可能である。このような有機溶剤が塗布されてなる正孔伝導層は、例えば乾燥工程を経て余分な溶剤を気化させることによって形成されていてもよく、余分な有機溶剤を気化させることによって所定の電気抵抗を有していてもよい。
【００１７】
本発明に係る有機ＥＬ装置の他の態様では、前記塗布膜は、スピンコート法を用いて前記基板全体に形成されていてもよい。
【００１８】
この態様によれば、塗布膜の膜厚が基板全体で均一となり、複数の陽極上に形成された夫々の正孔伝導膜の膜厚も互いに均一となる。これにより、膜厚バラツキに起因する正孔伝導膜の電気抵抗のバラツキも低減でき、有機ＥＬ装置に電流を流す際に各ＥＬ層に印加される電圧のバラツキも低減することが可能である。したがって、本実施形態に係る有機ＥＬ装置によれば、その駆動時に消費される電力のバラツキを低減でき、電力のバラツキを一因として生じる各発光部の寿命のバラツキも低減することが可能である。
【００１９】
本発明に係る有機装置は上記課題を解決するために、基板上に形成された複数の電極と、前記複数の電極上を覆うように形成された塗布膜と、前記塗布膜上に形成された有機層とを有する有機装置であって、前記塗布膜のうち前記複数の電極に平面的に重なる領域の電気抵抗が、前記複数の電極に平面的に重ならない領域の電気抵抗に比べて相対的に小さい。
【００２０】
本発明に係る有機装置によれば、上述の本発明に係る有機ＥＬ装置と同様に、塗布膜のうち電極に重なる領域の電気抵抗が低減されており、有機装置の寿命も延ばすことが可能である。このような有機装置としては、例えば有機層に光を照射することによって発生した正孔を電極を介して素子外部に流すことによって電力を出力する有機太陽電池、或いは塗布膜のうち電極に重なる領域の電気抵抗を低減することによって動作性能が格段に高められた有機ＴＦＴ素子が挙げられる。
【００２１】
本発明に係る有機ＥＬ装置の製造方法は上記課題を解決するために、基板上に形成された複数の陽極を形成する工程と、前記複数の陽極上を覆うように塗布膜を形成する工程と、前記塗布膜上に有機ＥＬ層を形成する工程とを有する有機ＥＬ装置の製造方法であって、前記塗布膜のうち前記複数の陽極に平面的に重なる領域の電気抵抗を、前記複数の陽極に平面的に重ならない領域の電気抵抗に比べて相対的に小さくする工程を備える。
【００２２】
本発明に係る有機ＥＬ装置の製造方法によれば、上述の本発明に係る有機ＥＬ装置と同様に、その動作時における電圧の調整が容易となり、且つ寿命が高められた有機ＥＬ装置を製造できる。
【００２３】
本発明に係る有機装置の製造方法は上記課題を解決するために、基板上に複数の電極を形成する工程と、前記複数の電極上を覆うように塗布膜を形成する工程と、前記塗布膜上に有機層を形成する工程とを有する有機装置の製造方法であって、前記塗布膜のうち前記複数の電極に平面的に重なる領域の電気抵抗を、前記複数の電極に平面的に重ならない領域の電気抵抗に比べて相対的に小さくする工程を備える。
【００２４】
本発明に係る有機装置の製造方法によれば、上述の本発明に係る有機装置と同様に、例えば有機層に光を照射することによって発生した正孔を正孔伝導層及び電極を介して素子外部に流すことによって電力を出力する有機太陽電池、或いは正孔伝導層の電気抵抗を低減することによって動作性能が格段に高められた有機ＴＦＴ素子を製造できる。
【００２５】
本発明のこのような作用及び他の利得は次に説明する実施形態から明らかにされる。
【発明を実施するための最良の形態】
【００２６】
以下図面を参照しながら、本実施形態の有機ＥＬ装置及びその製造方法、並びに有機素子及びその製造方法、並びに有機ＥＬ素子を説明する。
【００２７】
＜第１実施形態＞
（有機ＥＬ装置の構成）
先ず、図１乃至図３を参照しながら、本実施形態に係る有機ＥＬ装置の一例を説明する。図１は、本実施形態に係る有機ＥＬ装置の電気的な接続構成を示すブロック図である。
【００２８】
図１において、有機ＥＬ装置１０は、駆動回路内蔵型のアクティブマトリクス駆動方式で駆動される表示装置であり、有機ＥＬ装置１０が有する複数の画素部７０の夫々は有機ＥＬ素子７２を備えている。
【００２９】
画素領域１１０には、縦横に配線されたデータ線１１４及び走査線１１２が設けられており、それらの交点に対応するように画素部７０がマトリクス状に配列される。
【００３０】
画素部７０は、有機ＥＬ素子７２を有している。画素領域１１０には各データ線１１４に対して配列されたサブ画素部７０に対応する電源供給線１１７が設けられている。
【００３１】
画素領域１１０の周辺に位置する周辺領域には、走査線駆動回路１３０及びデータ線駆動回路１５０が設けられている。走査線駆動回路１３０は複数の走査線１１２に走査信号を順次供給する。データ線駆動回路１５０は、画素領域１１０に配線されたデータ線１１４に画像信号を供給する。尚、走査線駆動回路１３０の動作とデータ線駆動回路１５０の動作とは、同期信号線１６０を介して相互に同期が図られる。電源供給線１１７には、外部回路から画素部を駆動するための画素駆動用電源が供給される。図１中、一つの画素部７０に着目すれば、画素部７０には、有機ＥＬ素子７２が設けられると共に、例えばＴＦＴを用いて構成されるスイッチング用トランジスタ７６及び駆動用トランジスタ７４、並びに保持容量７８がサブ画素部毎に設けられている。スイッチング用トランジスタ７６のゲート電極には走査線１１２が電気的に接続されており、スイッチング用トランジスタ７６のソース電極にはデータ線１１４が電気的に接続され、スイッチング用トランジスタ７６のドレイン電極には駆動用トランジスタ７４のゲート電極が電気的に接続されている。
【００３２】
駆動用トランジスタ７４のドレイン電極には、電源供給線１１７が電気的に接続されており、駆動用トランジスタ７４のソース電極には有機ＥＬ素子７２の陽極が電気的に接続されている。尚、図１に例示した画素回路の構成の他にも、電流プログラム方式の画素回路、電圧プログラム方式の画素回路、電圧比較方式の画素回路、サブフレーム方式の画素回路等の各種方式の画素回路を採用することが可能である。
【００３３】
次に、図２及び図３を参照しながら、有機ＥＬ装置１０の具体的な構成を説明する。図２は、画素領域１１０における有機ＥＬ装置１０の平面図である。図３は、図２のＩＩＩ−ＩＩＩ´線断面図である。
【００３４】
図２において、有機ＥＬ装置１０は、画素部７０、及びバンク部４７を備えている。
【００３５】
画素部７０は、画素領域１１０にマトリクス状に配設されている。画素部７０が備える有機ＥＬ素子７２は、バンク部４７によって互いに隔てられている。バンク部４７は、第１バンク部４７ａ及び第２バンク部４７ｂから構成されており、有機ＥＬ素子７２が形成される凹部６２を規定している。
【００３６】
図３において、有機ＥＬ装置１０は、基板１、基板１上に形成された有機ＥＬ素子７２、駆動用トランジスタ７４、バンク部４７及び封止部２０を備えている。尚、有機ＥＬ素子７２は、図中下側に光を出射するボトムエミッション型の有機ＥＬ素子であるが、図中上側に光を出射するトップエミッション型の有機ＥＬ素子を備えた有機ＥＬ装置でも本発明の有機ＥＬ素子は適用可能である。
【００３７】
基板１は、例えば、ガラス基板等で構成されており、有機ＥＬ素子７２が図中下側に出射する光を透過させる。したがって、図１に示す駆動用トランジスタ７４及びスイッチング用トランジスタ７６は、基板１における有機ＥＬ素子７２の下側の領域を避けるように形成されている。基板１は、基板１上に有機ＥＬ素子７２が形成されているだけでなく、図１に示す走査線駆動回路１３０及びデータ線駆動回路１５０の各種回路を備えている。このような回路は、基板１における画素領域１１０の周辺領域に設けられる。
【００３８】
有機ＥＬ素子７２は、図中下側から順に陽極３４、正孔注入／輸送層５１、有機ＥＬ層５０、電子注入層５２、及び陰極４９を備えて構成されている。
【００３９】
陽極３４は、基板１上に順次形成されたゲート絶縁層２、層間絶縁膜４１、保護層４５、及び第１バンク部４７ａのうち第１バンク部４７ａに埋め込まれるように形成されている。陽極３４は、例えば、有機ＥＬ層５０から出射された光を図中下側に透過するようにＩＴＯ等の透明材料で形成された透明電極である。
【００４０】
正孔注入／輸送層５１は、ＰＥＤＯＴ及びＰＳＳの混合物からなる塗布材料をスピンコート法を用いて画素領域１１０全体に渡って塗布することによって、陽極３４及びバンク部４７上に渡って連続した塗膜５５として形成された後、陽極３４上に延在された延在部にのみジエチレングリコール等の有機溶剤をインクジェット法を用いて塗布することによって形成されている。このような有機溶剤が塗布された塗膜５５の電気抵抗は、有機溶剤が塗布されなかった部分に比べて相対的に電気抵抗が小さくなる。したがって、正孔注入／輸送層５１は、塗膜５５に比べて相対的に小さい電気抵抗を有している。加えて、正孔注入／輸送層５１は、スピンコート法を用いて均一な膜厚を有するように形成された塗膜５５の一部に有機溶剤を塗布して形成されているため、正孔注入／輸送層５１は、複数の陽極３４上で互いに均一な膜厚を有しており、各正孔注入／輸送層５１間における電気抵抗のバラツキも小さい。更に、正孔注入／輸送層５１は、塗膜５５のうち陽極３４上に延在する延在部の電気抵抗を小さくすることによって形成されているため、バンク部４７上に延在された塗膜５５に比べて小さい電気抵抗を有している。よって、正孔注入／輸送層５１によれば、有機ＥＬ素子７２の動作時に、正孔を有機ＥＬ層５０に供給するために陽極３４及び陰極４９間に印加される電圧を低減できる。これにより、有機ＥＬ素子７２の動作時に有機ＥＬ素子７２で消費される消費電力を低減でき、素子の寿命のバラツキを抑え、且つ素子寿命を延ばすことが可能である。
【００４１】
正孔注入／輸送層５１は、陽極３４から供給される正孔に対するエネルギー障壁を低減する正孔注入層と、有機ＥＬ素子７２の動作時に有機ＥＬ層５０から移動して来る電子が陽極３４側に移動することを妨げる正孔輸送層との両方の機能を有しており、本実施形態ではこれら２つの機能を有する一枚の膜として形成されている。尚、正孔注入／輸送層５１は、例えば乾燥工程を経て余分な有機溶剤を気化させることによって、塗膜５５より電気抵抗が小さい電気抵抗を有していてもよい。正孔注入／輸送層５１は、正孔注入及び輸送の両方の機能を備えた一層の膜として形成されている場合に限定されるものではなく、正孔注入層及び正孔輸送層を互いに別の層として形成されてなるものであってもよい。このような場合でも、これら各層のうち陽極３４上に延びる延在部にのみインクジェット法を用いて有機溶剤を塗布することによって、延在部の電気抵抗を相対的に小さくできる。
【００４２】
正孔注入／輸送層５１によれば、有機ＥＬ素子７２の動作時に、周囲の塗膜５５より小さい電気抵抗を有する正孔注入／輸送層５１を介して各陽極３４上に延在される有機ＥＬ層５０にのみ電流が供給されるため、塗膜５５のうち本来正孔注入／輸送層として機能させるべきでない領域の部分、即ち有機ＥＬ層５０のうちバンク部４７上に延びる部分に電流が流れることを低減できる。よって、画素領域１１０全体に一枚の膜として形成された有機ＥＬ層５０のうち凹部６２で規定された領域に延在された部分のみを発光層として機能させることが可能である。これにより、余分な消費電力を低減でき、且つ画素部７０を備えた画素毎に発光させることができるため、有機ＥＬ素子７２を備えた有機ＥＬ装置１０全体の消費電力の低減、及び画質の向上を図ることが可能である。
【００４３】
有機ＥＬ層５０は、スピンコート法を用いて有機ＥＬ材料を正孔注入／輸送層５１及び塗膜５５上に渡って連続的に形成されている。このような有機ＥＬ材料としては、例えば（ポリ）パラフェニレンビニレン誘導体、ポリフェニレン誘導体、ポリフルオレン誘導体、ポリビニルカルバゾール、ポリチオフェン誘導体、ペリレン系色素、クマリン系色素、ローダミン系色素、またはこれらの高分子材料にルブレン、ペリレン、９，１０−ジフェニルアントラセン、テトラフェニルブタジエン、ナイルレッド、クマリン６、キナクリドン等をドープした材料を用いることをできる。
【００４４】
電子注入層５２は、カルシウム（Ｃａ）、フッ化リチウム（ＬｉＦ）、フッ化ストロンチウム（ＳｒＦ２）、マグネシウム（Ｍｇ）、バリウム（Ｂａ）等の仕事関数の低いアルカリ金属材料或いはアルカリ土類金属材料を有機ＥＬ層５０上に蒸着させることによって形成されている。電子注入層５２によれば、電流駆動型の有機ＥＬ層５０に電子を効率良く注入でき、有機ＥＬ層５０の発光効率を高めることが可能である。
【００４５】
陰極４９は、第２バンク部４７ｂの表面及び電子注入層５２の表面を被うように形成されている。陰極４９は、基板１上に形成された各有機ＥＬ素子７２で共通とされる共通電極であり、例えば蒸着法を用いて形成されたＡｌ等の金属薄膜である。陰極４９は、基板１上で平面的に見て画素領域１１０全体に渡って物理的に接続された電極、即ち一枚の連続した電極として延在されている。
【００４６】
駆動用トランジスタ７４のソース電極７４ｓは、図１に示す電源供給線１１７に電気的に接続されており、ドレイン電極７４ｄは陽極３４に電気的に接続されている。駆動用トランジスタ７４は、図１に示すデータ線１１４を介してゲート電極３ａに供給されるデータ信号に応じてオンオフされ、駆動電流を有機ＥＬ素子７２に供給する。このような素子を含む回路は、有機ＥＬ素子５０から基板１側に出射される光を遮らないように、有機ＥＬ素子５０の下側を避けるように設けられている。駆動用トランジスタ７４と同様に、図１に示すスイッチング用トランジスタ７６も基板１上に形成されている。
【００４７】
半導体層３は、例えば低温ポリシリコン技術を用いて形成された多結晶シリコン層或いはアモルファスシリコン層である。半導体層３上には、半導体層３を埋め込んで、スイッチング用トランジスタ７６及び駆動用トランジスタ７４のゲート絶縁層２が形成されている。駆動用トランジスタ７４のゲート電極３ａ及び図１に示す走査線１１２は、ゲート絶縁層２上に形成されている。走査線１１２の一部は、スイッチング用トランジスタ７６のゲート電極として形成されている。
【００４８】
走査線１１２や駆動用トランジスタ７４のゲート電極３ａを埋め込んで、ゲート絶縁層２上には図３に示す層間絶縁層４１が形成されている。層間絶縁層４１及びゲート絶縁層２は例えばシリコン酸化膜から構成されている。層間絶縁層４１上には、例えばアルミニウム（Ａｌ）又はＩＴＯ（Indium Tin Oxide）を含む導電材料から夫々構成される、データ線１１４及び電源供給線１１７、更には駆動用トランジスタ７４のソース電極７４ｓが形成されている。層間絶縁層４１には、層間絶縁層４１の表面から層間絶縁層４１及びゲート絶縁層２を貫通して、駆動用トランジスタ７４の半導体層３に至るコンタクトホール５０１及び５０２が形成されている。電源供給線１１７及びドレイン電極７４ｄは、コンタクトホール５０１及び５０２の各々の内壁に沿って半導体層３の表面に至るように連続的に形成されている。層間絶縁層４１上には、電源供給線１１７及びドレイン電極７４ｄを埋め込んで、保護層４５として例えばシリコン窒化膜（ＳｉＮｘ）ないしシリコン酸化膜（ＳｉＯｘ）が形成されている。保護層４５上には、例えばシリコン酸化膜よりなる第１バンク部４７ａが形成され、更に第１バンク部４７ａ上に第２バンク部４７ｂが形成されている。第１バンク部４７ａ及び第２バンク部４７ｂによって、画素部における有機ＥＬ層５０の形成領域である凹部６２が規定されている。
【００４９】
封止板２０は、水分が有機ＥＬ装置１０の外部から有機ＥＬ層５０に浸入することを防止する。より具体的には、封止板２０は、基板１上に接着剤によって接着されており、有機ＥＬ装置１０の外気が有機ＥＬ素子７２に触れないように有機ＥＬ素子７２を封止する。基板１上に封止板２０を接着する接着剤は、熱硬化樹脂或いは紫外線硬化樹脂を含んでおり、例えば、熱硬化樹脂の一例であるエポキシ樹脂が封止板２０の周縁部にディスペンサ等の塗布手段を用いて塗布される。有機ＥＬ素子７２が封止板２０によって封止された状態で、封止板２０の中央部及び有機ＥＬ素子７２の間に一定の空間が介在する。封止板２０及び有機ＥＬ素子７２間の空間には、不活性ガス、樹脂或いはオイル等の充填材が充填され、この充填材により装置外部から侵入する水分を低減する。封止板２０及び有機ＥＬ素子７２間の空間は、封止板２０及び基板１で封止された真空であってもよい。
【００５０】
以上説明したように、本実施形態に係る有機ＥＬ装置によれば、その動作時における電圧の調整が容易となり、且つ寿命を延ばすことが可能である。これにより、有機ＥＬ装置１０の長寿命化及び画像を表示する際に各有機ＥＬ素子に印加する電圧の調整が容易となる。
【００５１】
次に、図４及び図５を参照しながら、本実施形態に係る有機ＥＬ装置の製造方法を説明する。図４及び図５は、有機ＥＬ装置１０の製造工程を示す工程断面図である。
【００５２】
図４（ａ）に示すように、素子基板１ａの表面を、例えばプラズマ処理によって洗浄する。より具体的には、陽極３４に酸素ガスを用いたＯ２プラズマ処理を施し、陽極３４の表面を洗浄する。これにより、素子基板１ａ表面のコンタミネーションの除去し、後述する塗布材料に対する濡れ性を高めておく。また、Ｏ２プラズマ処理によって陽極３４表面における仕事関数の調整も行うことが可能である。
【００５３】
尚、素子基板１ａは、基板１上に駆動トランジスタ７４等の素子、下地絶縁膜２、層間絶縁膜４１、保護膜４５、陽極３４、バンク部４７、及び後述する導電部６０までが形成された板状の構造体であり、詳細な構造については図示していない。
【００５４】
次に、図４（ｂ）に示すように、陽極３４及びバンク部４７上の画素領域１１０全体にスピンコート法を用いて正孔注入／輸送材料を塗布し、５０ｎｍの膜厚を有する塗膜５５を形成する。正孔注入／輸送材料としては、ＰＥＤＯＴ及びＰＳＳを純水に分散したスピンコート用インクが用いられ、例えばＰＥＤＯＴ及びＰＳＳの重量比が１：５０、固形分濃度が１．５ｗｔ％となるようにインクの成分が調整されている。
【００５５】
次に、図４（ｃ）に示すように、塗膜５５のうち凹部６２に形成された部分にインクジェット法を用いてノズル７からジエチレングリコールを塗布し、塗布部５１ａを形成する。これにより、塗膜５５のうち陽極３４上に伸びる延在部のみにジエチレングリコールが塗布された塗布部５１ａが形成される。ここで、ノズル７から供給されるジエチレングリコールは固形分を含んでいないため、ノズルから正孔注入／輸送材を塗膜５５の一部に塗布する場合に比べてノズルの詰まりを低減できる。加えて、エチレングリコールを塗布する領域を容易に変えることができるため、エチレングリコールが塗布された領域に応じて発光領域の面積を調整できる。これにより、有機ＥＬ素子７２の動作時に、陰極４９及び陽極３４間に印加される電圧を調整できる。
【００５６】
次に、図５（ａ）に示すように、塗布部５１ａを真空乾燥し、その後２００℃の温度で１０分間熱処理することによって形成された正孔注入／輸送層５１上に、有機ＥＬ層５０を形成する。有機ＥＬ層５０は、正孔注入／輸送層５１及び塗膜５５上にスピンコート法を用いて有機ＥＬ材料を塗布し、その後、１５０℃の不活性ガス（例えばＮ２）雰囲気中で熱処理されることによって例えば１００ｎｍの膜厚となるように形成される。
【００５７】
次に、図５（ｂ）に示すように、有機ＥＬ層５０上に電子注入層５２及び陰極４９を形成することによって、有機ＥＬ素子７２を形成する。電子注入層５１は、例えばＣａを５ｎｍの膜厚となるように蒸着させることによって形成される。陰極４９は、例えばＡｌを２００ｎｍの膜厚となるように蒸着させることによって形成される。その後、素子基板１ａにおける有機ＥＬ素子７２が形成された側を接着剤及び対向基板を用いて封止することによって図３に示した有機ＥＬ装置１０を形成する。
【００５８】
以上、説明したように、本実施形態に係る有機ＥＬ装置の製造方法によれば、その動作時における電圧の調整が容易となり、且つ素子の寿命を延ばすことが可能である有機ＥＬ素子を容易に形成できる。
【００５９】
ここで、本願発明者は、従来のインクジェット法を用いて各陽極上に正孔注入／輸送層を形成してなる有機ＥＬ装置に比べて本実施形態に係る有機ＥＬ装置の製造方法によって製造された有機ＥＬ装置の特性がどの程度向上しているのかを確認する実験を行った。その結果、本実施形態に係る有機ＥＬ装置の製造方法によって製造された有機ＥＬ装置では、従来の有機ＥＬ装置と同じ輝度を得るために従来の有機ＥＬ装置より５Ｖだけ小さい電圧を陽極及び陰極間に印加すれば済むことが分かった。また、従来の有機ＥＬ装置では、本実施形態に係る有機ＥＬ装置の製造方法によって形成された有機ＥＬ装置に比べて発光面積が１．５倍となっていた。したがって、本実施形態に係る有機ＥＬ装置の製造方法によって製造された有機ＥＬ装置によれば、本来発光すべきでない領域が発光することを低減でき、有機ＥＬ装置の画質を高めることができることが分かった。
【００６０】
＜第２実施形態＞
（有機装置の構成）
次に、本発明に係る有機装置の一例である有機太陽電池の構成を説明する。尚、本実施形態の有機太陽電池も第１実施形態に係る有機ＥＬ装置の製造方法と同様にして形成できるため、その製造方法の詳細な説明は省略する。
【００６１】
図６は、本実施形態に係る有機太陽電池の構成を示す図である。
【００６２】
図６において、有機太陽電池２７２は、基板２０１上に形成された第１電極２３４、バッファ層２５１、本発明の「有機層」の一例である光電変換層２５０、第２電極２４９を備えており、基板２０１上に複数形成されている。
【００６３】
バッファ層２５１は、スピンコート法を用いて塗布材料を複数の第１電極２３４上に渡って塗布することによって形成された塗膜２５５のうち第１電極２３４上の延びる延在部にジエチレングリコール等の有機溶剤を選択的に塗布することによって形成されている。これにより、バッファ層２５１は、各第１電極２３４上において互いに膜厚が均一であり、且つ塗膜２５５に比べて相対的に電気抵抗が小さくされている。したがって、バッファ層２５１によれば、光電変換層２５０で生成された正孔が第１電極２３４を介して外部に取り出される際の電気抵抗を低減できる。
【００６４】
光電変換層２５０は、バッファ層２５１及び塗膜２５５上にスピンコート法を用いて有機材料を均一に塗布することによって形成されている。したがって、光電変換層２５０は、各有機太陽電池２７２間で互いに膜厚バラツキが低減されており、これら有機太陽電池２７２における発電能力のバラツキも低減できる。
【００６５】
このような有機太陽電池２７２によれば、基板上に２０１に形成された状態で、第１電極２３４及び第２電極２４９を介して電池外部に電力を取り出すことができる。加えて、各有機太陽電池２７２が備えるバッファ層２５１における電気抵抗のバラツキも低減できる。したがって、発電能力が均一な複数の有機太陽電池２７２を一括で形成できる。
【００６６】
尚、本発明に係る有機装置は、有機太陽電池に限定されるものではなく、例えば有機材料を用いて形成される有機ＴＦＴ等の素子にも応用可能であることは言うまでもない。
【００６７】
（電子機器）
次に、第１実施形態で説明した有機ＥＬ装置を備えた各種電子機器について説明する。
【００６８】
＜Ａ：モバイル型コンピュータ＞
図７を参照しながらモバイル型のコンピュータに上述した有機ＥＬ装置を適用した例について説明する。図７は、コンピュータ１２００の構成を示す斜視図である。
【００６９】
図７において、コンピュータ１２００は、キーボード１２０２を備えた本体部１２０４と、図示しない有機ＥＬ装置を用いて構成された表示部１００５を有する表示ユニット１２０６とを備えている。表示部１００５は、画素領域における正孔注入／輸送層の電気抵抗が低減されているため、その動作時における電圧調整が容易である。また、表示部１００５は、赤色、青色及び緑色のフィルターを備えるため、赤、緑、青の光の三原色の光によってフルカラー表示で画像を表示できる。
【００７０】
＜Ｂ：携帯型電話機＞
更に、上述した有機ＥＬ装置を携帯型電話機に応用した例について、図８を参照して説明する。図８は、携帯型電話機１３００の構成を示す斜視図である。
【００７１】
図８において、携帯型電話機１３００は、複数の操作ボタン１３０２と共に、本発明の一実施形態である有機ＥＬ素子を有する表示部１３０５を備えている。
【００７２】
表示部１３０５は、上述の動作時の電圧調整が容易であり、表示部１００５と同様に高品質の画像を表示することができる。また、表示部１３０５は、表示部１００５と同様にフルカラー表示で画像を表示できる。
【００７３】
上述の各電子機器によれば、本発明に係る有機ＥＬ素子を具備してなるので、高品位の画像を表示できる。また、上述の有機ＥＬ素子を具備してなる電子機器によれば、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器、及び電子ペーパなどの電気泳動装置等も実現することが可能である。
【００７４】
尚、本発明は、上述した実施形態に限られるものではなく、請求の範囲及び明細書全体から読み取れる発明の要旨或いは思想に反しない範囲で適宜変更可能であり、そのような変更を伴う有機ＥＬ素子及びその製造方法、並びに有機素子及びその製造方法もまた本発明の技術的範囲に含まれるものである。
【図面の簡単な説明】
【００７５】
【図１】第１実施形態に係る有機ＥＬ装置の電気的な接続構成を示すブロック図である。
【図２】第１実施形態に係る有機ＥＬ装置の要部の構成を示した平面図である。
【図３】図２のＩＩＩ−ＩＩＩ´線断面図である。
【図４】第１実施形態に係る有機ＥＬ装置の製造方法の工程断面図（その１）である。
【図５】第１実施形態に係る有機ＥＬ装置の製造方法の工程断面図（その２）である。
【図６】第２実施形態に係る有機装置の構成を示す図である。
【図７】本発明の有機ＥＬ装置を備えた電子機器の一例を示す斜視図である。
【図８】本発明の有機ＥＬ装置を備えた電子機器の他の例を示す斜視図である。
【符号の説明】
【００７６】
１・・・基板、１ａ・・・素子基板、１０・・・有機ＥＬ装置、３４・・・陽極、４９・・・陰極、５０・・・有機ＥＬ層、５１・・・正孔注入／輸送層
【図１】
2007080917.tif 000003
【図２】
2007080917.tif 000004
【図３】
2007080917.tif 000005
【図４】
2007080917.tif 000006
【図５】
2007080917.tif 000007
【図６】
2007080917.tif 000008
【図７】
2007080917.tif 000009
【図８】
2007080917.tif 000010